(57)【要約】      （修正有）【課題】  花がばらつき・転倒、風等により吹き飛ばされることのない墓石の花入れの提供。【解決手段】  パイプ１を束ね接着剤などで結合し、束ねたパイプ１の上部を輪っか２で固定し、束ねたパイプ１を輪っか２が墓石の花入れの上部縁に掛かるように挿入し、花をパイプの大きさに応じて、差し込む。【選択図】  図１
2006241956.tif 000002
【特許請求の範囲】
花入れの、花転倒・ばらつき防止の装置として、次のような構造からなることを特徴する装置である。
【請求項１】
イ、花入れの内径の大きさを外経とし、該外形の中に異径の丸いパイプを、接着剤等で結合する構造。
ロ、該パイプを結合した形状の上部に、輪っかを設置し接着剤等で結合する構造。
ハ、該外形の中に結合させた異径のパイプを適当な寸法で切断する構造。
ニ、該上部輪っか部分を、針金等でくくり接着固定し、さらに該輪っかの場合、フックを設置する構造。
【請求項２】
イ、花入れの内径の大きさを外径とし、格子枠に接合されたプラスチックの板を、筒状に形成する構造。
ロ、該格子枠で形成されたプラスチックの筒の上部に、針金のフックを設置する構造。
ハ、該プスチックの筒を適当な寸法で切断する構造。
【請求項３】
イ、花入れの内径の大きさを外経とし、針金状のステンレス棒で、円筒形の格子枠構造を溶接形成する構造。
ロ、該ステンレス棒で形成された、格子枠円筒形の上部にフックを設置し、該円筒形の枠を適当な寸法で切断する構造。
【請求項４】
イ、金網を隙間の多いヘチマ状に形成し、山型、又動物の原型に製作する構造。また、ステンレス棒で枠、つまりジャングルジム状を形成し、さらに山型に、動物の原型製作する構造と共に、パイプを放射状に結合させ山型に、また動物等の原型に形成する構造。
ロ、該山型の形状を、弁当箱状の形状の中に設置する構造。
ハ、該箱状の入れ物の中に、保水剤・スポンジを入れる構造。
以上のような特徴をもつ構造で、花入れの花の転倒、ばらつきを防止する装置器具である。
【発明の詳細な説明】
【発明の詳細な説明】
【技術分野】
【０００１】  本発明は、特に墓石に飾られている花の転倒防止に関するものであるが、墓石に飾られる花は、花入れの高さ寸法に比べ、特に高く飾られている。これらは、墓石とのバランスを考えたもので、さらにこのバランス感覚が、先祖に対する敬いの心を表しているものと考える。そこで、花入れに入れられた、花の量が少ない場合、バランスが悪くなり、また、墓地は特に風通しの良い場所に設けられている為、それらを鑑み、倒れかかっている花を防止し、風に飛ばされないようにする装置器具を提供するものである。
また、花屋においても、花入れ（バケツ等）に入れられている、花の量が多い時は、花は倒れず、花の癒しさを感じることができる。しかし花の量が少なくなった場合、花が倒れ品（ひん）もなく見え、また店に入る人の足に触れたりして不快感を与える。同花入れに関して、少ない花の状態でも倒れない装置器具を提供する目的である。
さらに、スポンジに花を突き刺して、盛り花を製作されいてることに鑑みスポンジでは花を飾り付ける表現が限られている、これらに関して色々な盛り花の製作ができる形の装置を提供する目的でもある。
【背景技術】
【０００２】  そこで本発明は、前述のごとく、特に墓石に飾れられている花入について、花の量の多い時は、花のぐらつきも無く、また風が強い日でも、飛び散ることもない。
しかし、花の量が少ない時は、花入れの筒は花の隙間が広くなり、また墓石に見合った花の寸法は、花入れに比べて長く、さらに、花は上部の花びら部分が重い為、花がぐらつき、また花の隙間とばらつきが重なると、強風により転倒する事が多い。また飾り付けにおいても、花の空間が多いと、バランスの調整もうまくいかず転倒する。
また、花屋においての花入れのバケツも、花の量が多い時は、ばらつきは無いが、花の量が少なくなると、花の上部、びら部分が片方に倒れ、花の本質である飾りとしては質が落ち絵とならない。花は勢いと癒さを求めるもので、また、見て楽しむものでもある為、見ためが重要である。
さらに、盛り花の元となるスポンジに突き刺してあるが、該スポンジは原型が一般的である為、あまり変化の富んだ盛り花が望めない。
【発明が解決しょうとする課題】
【０００３】  そこで、少なくなった花入れの花、又は墓参りに、花を少なく持って行った場合、花入れの花がばらつき転倒する為、花の飾り付けバランスもとれない。
また、墓地は風通しがよく、特に強風に花が倒れ、吹き散らかされることがある。
さらに、花屋等の花入れについて、花入れが満杯の花の場合や、飾ってある花は切断がされていない為、花入れより丈が高く（長い）ても、倒れることがなく品のある飾り付けができる。しかし少なくなった場合、丈が高いため倒れて、花屋に来る方々の足に触れて、容易に通りもできない状態もある。
これらのことから、墓石に飾られた花の転倒や風から吹き散らかされない装置と花屋の店頭に飾られた花入れから、転倒防止を目的に発明されたものである。
また、創作盛り花において、最近はスポンジに花々を突き刺しで盛り花としているが、スポンジの原型が一通りであるため、変わり映えしない状況もある。
さらに、盛り花のスポンジは、木質の花木や花を突き刺ことで、穴が開き、該穴は開きっぱなしとなり、再度使用することができないものとなる。
【課題を解決するための手段】
【０００４】  この為、本発明は上記課題を解決するため、墓石に飾られた花入れに、大きさの違う丸いパイプを、数本くくり結合した構造物（装置）を、花入れに入れ、大きさの違う丸いパイプに介し、花の幹の大きさに合う飾り付けができる。
また、少なくなった花をパイプの大きさに束ね、若しくは該大きさに合わせて入れることができ、中央に寄せてもよく、花の種類により広げて飾り付けることもできる。ここで、花の幹がパイプに入り、固定されるためぐらつきもせず、風などによる吹き飛ばされることもない。また、花屋などの大きめな花入れにおいては、サイズの大きいパイプで、花入れに合う大きさに結合することで、多い量の時も容易に収納でき、少なくなった場合は、真ん中当たりに寄せて飾り付ける事ができ、転倒から防止できる。この場合、パイプだけではなく、プラスチックで、枠の大きさを数種類製作した形の筒を使用してもよく、ステンレスの棒で枠（ジヤングルジムの形）を溶接した、花入れに合う円筒形を製作し、いずれも、上部にフックを設置するとよい。
また、金網をヘチマ形状で、またステンレス棒で、型を動物や山などの原型を製作する。該動物の原型に、花々をもって動物やミニ庭園なども、模ることができる。これは、スポンジに比べ変形することなく、何回でも使用できる。
【発明の実施形態】
【０００５】  以下図面に示す実施例に基づいて、本発明の実施の形態を個々説明する。
【実施例１】  本発明の基本である、丸型のパイプ製作の実施と、実施例について説明すれば、花入れの内径の大きさを外形とし、該外形の大きさの輪っかの中に、大きさの違うパイプを並べ、接着剤等で固定する。適当な寸法で切断し、該花入れに入れるが、製作した装置の輪っか部分が、止め装置の働きをする為、花入れの首に掛り、それ以上は中に入らないものである。次に花の飾り付について、説明すれば、花は花入れの奥の方から丈の高く、手前に低いものがバランスよくなり、丈の高い花の幹はそれに合う大きさであり、奥の方はパイプに１本入れ、中ほどは３本、さらに手前は５本等と、花の幹に合わせて飾ることができた。
また、墓参りに花を持つ行かなかった場合、まだ使える花を選んで、該装置具にバランスよく入れられた、さらにパイプの経が異なってっているため、残っていた花を、数本まとめたり、一本だけと分けてパイプに入れられたので、バランスのよい飾り付けができた。また、数本の花でもパイプに入れられ、転倒する事もなく、また、ぐらつきもしなかった。
【実施例２】  プラスチックで５センチ程度の格子枠で、高さ２０センチ程度で、バケツに入る直径２５センチの円筒形を該装置を形成した。形成したプラスチックの円筒形の該装置の上部部分に４カ所に針金でフックを付け、該装置をバケツに入れ、フック４本でバケツの口（上部縁）に引き掛け、円筒形の装置を固定できた。これの状態で、従来通り花を束ねて、バケツ一杯に入れたが、ばらつきはもちろん、倒れることは無かった。
また、少なくなった花を、バケツ中央の枠の中にまとめて入れたところ、枠の無かった場合は、転倒していたが、枠に収まり転倒することがなかった。
【実施例３】  該装置をステンレス棒で、４センチ程度の枠（ジャングルジム形）で、直径２５センチ程度、高さ２０センチ程度として形成した。該装置の上部のステンレス棒を４本伸ばし、先を少し曲げたものを形成した（フックとする）。該装置をバケツに入れ、バケツの口（バケツの上部縁）に曲げたフック部分を、掛け落ちないようにした。
該装置は、仕切りが少なくまた、ステンレス棒でジャングルジムの形をしている為、花を束として入れられた。また花が少なくなった場合、片方に寄せて枠一つの中に入れ、転倒することがなく、人の足にも触れることがなかった。
【実施例４】  墓石の花入れの大きさで、小さなステンレス棒で、ジャングルジム状の形枠を溶接し、高さを１０センチの円筒形を装置として製造した。この装置の上部に三カ所にステンレス棒を伸ばし、伸ばした部分を少し曲げた。該装置を墓石の花入れに入れ、曲げた部分を花入れの口に掛けたところ、落ちることは無く設置できた。この装置状態で、花を少しの状態で枠の中に入れ、バランスよく飾れられた。さらに、枠で花の幹を固定するため、空いている場所があっても、飾った花の状態はバランスがよかった。
つまり、装置がない場合、花の頭部は重い為倒れ、花のばらつき加減であったが、花入れ口部分での、花の幹が収まっている為、ばらつきも無く倒れることのない結果であった。
【実施例５】  また、花入れの形状に係わらず、金網の網目状の形でもよく、盛り花の使用に関して、パイプの筒や、ステンレス棒のジャングルジム状の形状や、金網をヘチマ状にした形状を、山型に創作し、該装置の下部に弁当箱状の箱を形成する。この箱に前山型に形成した形状を節固定する。このヘチマ状の中に、花を指し、またパイプの中に花を指して飾り花とする。下の箱の中に保水剤を入れ、水を投入したところ、盛り花の創作ができた。
さらに、該請求項４の動物の頭の原型を製作し該原型に花々と葉っぱを用いて、子供達にパンダの頭部を製作させたところ、子供達の感受性豊かな発想で子供達も喜びながら、パンダの顔を完成させ、保水剤の効果で長く飾り付けすることができた。また、保水対策として、使用済みのスポンジでも良かった。
最近ではスポンジに水を  吸わせ、スポンジに花を突き刺して、盛り花を創作しいてるが、スポンジは使用後廃棄物しては、環境的にも問題があるが、金網などは腐るものでも無く、再利用でき、環境的にも問題なく使用できるものである。
なお本発明に関して、材質・形状・色など該請求項に限定されるものではない。
【発明の効果】
【０００６】  本発明は、請求項と実施例のごとく花入れの装置としては、単純であるが花の保護・保存としての機能と共に、次のような花入れの機能を持つものであり、さらに、次のような優れた効果がある。
１，花入れの花が少なくなった場合、装置のパイプの穴に入れることと、該装置に付いているフックが、花入れに収まり安定するため、ばらつきが無くなる。
２，装置の穴や枠に差し込むことで、花の幹が固定されるため、風に飛ばされない状況をつくれる。
３，花入れの花が少なくなっても、装置の枠や穴の中に花を差し込むことで、転倒防止ができる。
４，少ない花でも、装置の穴や枠を利用して、束ねた花の幹の隙間があっても、バランス良く飾れる。装置の枠や穴が無い場合、ばらつきバランスが崩れ品のある飾りができない。
５，該装置の穴と枠の大きさが、それぞれ異なっている為、花の幹の大きさや束ね方の工夫もできる。
６，金網やステンレス棒で製作された、動物の原型、山の原型、さらに庭園の原型などに応じて、花々や植物をもってパンダの顔や、ミニ庭園などが、飾ることができた。
７，該盛り花に使用されているスポンジは、花や木質の植物を一回刺すことで穴が残り、その穴には再び使用できないが、該発明の金網のヘチマ形状、ジャングルジムの様なステンレスの、格子枠は、何回でも使用できる。
８，また、該７，の使用後、透き間が大きい為掃除が簡単である。
９，保水タンクに、保水剤を入れるが、使用済みのスポンジでも、リサイクルの精神からして、再利用できるものである。
以上のような優れた目的効果があり、花の飾り付け、花の転倒防止・風により飛ばされる様なことがなくなり、さらに創作生け花も可能である。
【図面の簡単な説明】
【０００７】
【図１】本発明に係るパイプを束ねた、花転倒防止装置具の構造を示す説明図である。
【図２】本発明に係るパイプを針金等で束ねた、花転倒防止装置の構造を示す説明図である。
【図３】本発明に係るプラスチック枠、円筒形の構造を示す説明図である。
【図４】本発明に係るステンレス棒で、枠をジャングルジム状に形成された、構造を示す説明図である。
【図５】本発明に係る金網で、ヘチマの形状で出型を製作し、さらに箱状の水タンクと、組み合わせ設置する構造を示す説明図
【符号の説明】
１，パイプ
２，束ねた輪っか
３，針金のフック
４，束ねた針金
５，プスチック板の格子枠
６，ステンレス棒
７，針金をヘチマ状にした装置
８，水タンク
【図１】
2006241956.tif 000003
【図２】
2006241956.tif 000004
【図３】
2006241956.tif 000005
【図４】
2006241956.tif 000006
【図５】
2006241956.tif 000007